(57)【特許請求の範囲】
【請求項１】
静止画および動画が撮像できる撮像手段と、
前記撮像手段から出力される画像信号を表示する表示手段と、
前記表示手段を制御する制御手段を有する撮像装置であって、
前記制御手段は、前記撮像装置が撮像スタンバイ状態となったときに、静止画の撮像エリアを全画面表示したうえで、動画の撮像エリアを示す枠を重畳表示するように前記表示手段を制御し、前記撮像スタンバイ状態から静止画記録が指示されると重畳表示した前記枠を消去するように前記表示手段を制御するとともに、前記撮像スタンバイ状態から動画記録が指示されると動画の撮像エリアを全画面表示するように前記表示手段を制御することを特徴とする撮像装置。
【請求項２】
静止画および動画が撮像できる撮像手段と、
前記撮像手段から出力される画像信号を表示する表示手段と、前記表示手段を制御する制御手段を有する撮像装置であって、
前記制御手段は、前記撮像装置が撮像スタンバイ状態となったときに、静止画の撮像エリアを全画面表示したうえで、動画の撮像エリアとそれ以外のエリアとで表示形態の変化を設けて表示するように前記表示手段を制御し、前記撮像スタンバイ状態から静止画記録が指示されると前記表示形態の変化を解消するように前記表示手段を制御するとともに、前記撮像スタンバイ状態から動画記録が指示されると動画の撮像エリアを全画面表示するように前記表示手段を制御することを特徴とする撮像装置。
【請求項３】
前記制御手段は、動画の撮像エリアとそれ以外のエリアとで輝度差を設けて表示するように前記表示手段を制御することを特徴とする請求項２に記載の撮像装置。
【請求項４】
前記制御手段は、動画の撮像エリアをカラー画像で表示し、それ以外のエリアを白黒画像で表示するように前記表示手段を制御することを特徴とする請求項２に記載の撮像装置。
【請求項５】
静止画および動画が撮像できる撮像手段と、前記撮像手段から出力される画像信号を表示する表示手段と、前記表示手段を制御する表示制御手段を有する撮像装置の制御方法において、
前記撮像装置が撮像スタンバイ状態となったときに、静止画の撮像エリアを全画面表示するとともに、動画の撮像エリアを示す枠を重畳表示するように前記表示手段を制御する第１のステップと、
前記撮像スタンバイ状態から静止画記録が指示されると重畳表示した前記枠を消去し、前記撮像スタンバイ状態から動画記録が指示されると動画の撮像エリアを全画面表示するように前記表示手段を制御する第２のステップとを有することを特徴とする撮像装置の制御方法。
【請求項６】
静止画および動画が撮像できる撮像手段と、前記撮像手段から出力される画像信号を表示する表示手段と、前記表示手段を制御する表示制御手段を有する撮像装置の制御方法において、
前記撮像装置が撮像スタンバイ状態となったときに、静止画の撮像エリアを全画面表示するとともに、動画の撮像エリアとそれ以外のエリアとで表示形態の変化を設けて表示するように前記表示手段を制御する第１のステップと、
前記撮像スタンバイ状態から静止画記録が指示されると前記表示形態の変化を解消し、前記撮像スタンバイ状態から動画記録が指示されると動画の撮像エリアを全画面表示するように前記表示手段を制御する第２のステップとを有することを特徴とする撮像装置の制御方法。
【発明の詳細な説明】
【０００１】
【発明の属する技術分野】
本発明は、静止画と動画が撮影できる撮像装置に関し、特にファインダ画の表示に関するものである。
【０００２】
【従来の技術】
近年、パーソナルコンピュータの高性能化，低価格化が飛躍的に進み、民生レベルで高精細な静止画像あるいは動画像を、手軽にしかも多量に取り扱える環境が普及し始めている。一方、撮像機器の進展も目覚しく、入力デバイスの多画素化、記録メディアの高容量化により、高精細の静止画像撮影と同時に、動画像も記録可能な製品が実現されている。
【０００３】
従来、この種の製品として、デジタルスチルカメラとデジタルビデオカメラを融合した製品形態が提案されている。たとえば、１００万画素以上の多画素ＣＣＤを搭載し、高精細静止画を固体メモリに撮像記録し、一方、この高精細画像から一部の動画像データを切り出して、ＳＤ規格（ＨＤデジタルＶＣＲ協議会準拠）あるいはＭＰＥＧ２規格に則した標準動画（７２０×４８０画素／フレーム）の撮影をするものである。
【０００４】
また、多画素ＣＣＤを搭載して高精細静止画の撮像を実現しながら、動画撮影にはフレームレートを落として簡易動画として固体メモリに動画像を記録再生する製品も提案されている。
【０００５】
【発明が解決しようとする課題】
ＣＣＤの画素数増加によって、静止画像の高精細化が達成される。しかしながら、動画像に関しては多画素ＣＣＤ総ての画素情報を、１／６０(秒)ごとに読み出そうとしても、高速サンプリング処理、電荷移動時間の遅れなど、ＣＣＤデバイス自体の動作限界を越え、処理が破綻してしまう。
【０００６】
そこで、多画素ＣＣＤから動画像の読み出しを行う場合、総ての画素情報を読み出さずに、読み出し可能な範囲だけを選択的に抽出している。たとえば、１００万画素以上の多画素ＣＣＤを用いた場合、この領域の中央部、すなわち上下左右の一部の周辺領域を読み出さず、中央部の１２８０×９６０画素だけ読み出して、これを動画情報とするものである。
【０００７】
更なるＣＣＤデバイスの多画素化が進展すれば、静止画像と動画像の画角差はますます大きくなる。被写体を前に、動画を撮りながら静止画を撮影したり、静止画を撮りながら動画の撮影を開始しようとすると、両者の構図を大幅に修整する手間が避けられず、動画，静止画双方のスムーズな撮影が損なわれてしまうという課題がある。
【０００８】
本発明は、このような状況のもとでなされたもので、静止画撮影と動画撮影を切り替えた際の違和感が少なく、撮影条件に合わせた静止画と動画の最適な使い分けが容易にできる撮像装置，撮像方法を提供することを目的とするものである。
【０００９】
【課題を解決するための手段】
前記目的を達成するため、本発明の撮像装置は、静止画および動画が撮像できる撮像手段と、前記撮像手段から出力される画像信号を表示する表示手段と、前記表示手段を制御する制御手段を有する撮像装置であって、前記制御手段は、前記撮像装置が撮像スタンバイ状態となったときに、静止画の撮像エリアを全画面表示したうえで、動画の撮像エリアを示す枠を重畳表示するように前記表示手段を制御し、前記撮像スタンバイ状態から静止画記録が指示されると重畳表示した前記枠を消去するように前記表示手段を制御するとともに、前記撮像スタンバイ状態から動画記録が指示されると動画の撮像エリアを全画面表示するように前記表示手段を制御することを特徴とする。
本発明の撮像装置の制御方法は、静止画および動画が撮像できる撮像手段と、前記撮像手段から出力される画像信号を表示する表示手段と、前記表示手段を制御する表示制御手段を有する撮像装置の制御方法において、前記撮像装置が撮像スタンバイ状態となったときに、静止画の撮像エリアを全画面表示するとともに、動画の撮像エリアを示す枠を重畳表示するように前記表示手段を制御する第１のステップと、前記撮像スタンバイ状態から静止画記録が指示されると重畳表示した前記枠を消去し、前記撮像スタンバイ状態から動画記録が指示されると動画の撮像エリアを全画面表示するように前記表示手段を制御する第２のステップとを有することを特徴とする。
【００１８】
【発明の実施の形態】
以下本発明の実施の形態を撮像記録再生装置の実施例により詳しく説明する。なお、本発明は、装置の形に限らず、実施例の説明に裏付けられた、方法の形で実施することもできる。
【００１９】
【実施例】
（実施例１）
図１は、実施例１である“撮像記録再生装置”の機能ブロック図である。同図の構成要素を説明する。１０１はレンズユニット、１０２は撮像処理、１０３はカメラ信号処理、１０４は標準映像変換、１０５はスイッチ、１０６はメモリ、１０７はメモリ制御、１０８はフィルタ、１０９はフィルタ制御、１１０はＣＰＵ、１１１は動画記録再生処理、１１２は動画記録メディア、１１３は静止画記録再生処理、１１４は静止画記録メディア、１１５は表示信号処理、１１６は表示画面、１１７はライン入出力処理、１１８はライン入出力端子、１１９はデータバスである。
【００２０】
図１の構成による動作を説明する。不図示の被写体に対し、レンズユニット１０１を介して一連のフオーカス制御，ズーム制御，絞り制御等が行われる。撮像処理１０２は、固体撮像素子（以下、ＣＣＤと記す）を備え、レンズユニット１０１によって撮像面に結像、かつ光量を調節された画像を光電変換して映像信号を出力する。ここでは、装備されるＣＣＤを高精細静止画撮影に対応した有効画素１２８０×９６０画素の多画素タイプＣＣＤとする。カメラ信号処理１０３は、映像信号をデジタル化して、ゲイン調整，ガンマ補正，ホワイトバランス調整等、所定のカメラ信号処理を行う。
【００２１】
標準映像変換１０４は、高精細映像（１２８０×９６０）を標準映像信号（７２０×４８０）にダウンコンバートする処理を行うもので、スイッチ１０５のＡ側で標準映像信号記録を、Ｂ側で高精細映像信号記録を選択する。
【００２２】
標準動画像を撮像記録する場合には、Ａ側に接続して、高精細画像を標準画像にダウンコンバートして出力する。一方、高精細静止画像を撮像記録する場合には、Ｂ側に接続する。
【００２３】
次段のメモリ１０６は、高精細画像データを複数フレーム記憶可能なメモリで、１０７はこのメモリのアドレス制御を行うメモリ制御である。ＣＰＵ１１０はシステム全体の制御中枢を担うものである。
【００２４】
高精細静止画像を記録する動作を説明する。この場合、スイッチ１０５はＢ側に接続され、有効画素１２８０×９６０のデータが一旦メモリ１０６に書き込まれる。続いてメモリ１０６から読み出された１２８０×９６０の画像データはフィルタ１０８に入力されるがデータを加工せず、そのまま出力する。静止画記録再生１１３は、記録時、入力されたデジタル画像データをＪＰＥＧ方式等でデータ圧縮し、フラッシュメモリ等の静止画記録媒体１１４に記録する。
【００２５】
標準動画像を記録する動作を説明する。この場合、スイッチ１０５はＡ側に接続され、標準画像変換１０４は、入力された高精細画像データを水平垂直方向それぞれにダウンサンプリングし、標準画像変換出力である有効画素７２０×４８０の画像データを出力してメモリ１０６に書き込む。次に、メモリ１０６から読み出された信号は、動画記録再生処理１１１にて、動画データ圧縮処理を行い、ディスクまたは磁気テープ等の記録媒体１１２に記録する。
【００２６】
次に、高精細静止画または動画を撮像する際の表示について説明する。
【００２７】
表示信号処理１１５は、メモリ１０６から読み出されるデジタル画像データをＤ／Ａ変換して液晶表示画面１１６をドライブし、映像表示を行う。ライン入出力処理１１７は、ライン入力時は端子１１８から入力されたアナログ映像信号をＡ／Ｄ変換してデジタル画像データをメモリ１０６に書き込み、またライン出力時には、メモリ１０６から読み出されたデジタル画像データをＤ／Ａ変換し、端子１１８にアナ口グ出力するものである。
【００２８】
図２に、液晶表示画面１１６の例を示す。この例は、静止画撮像トリガ，動画撮像トリガを押す前に撮像する範囲を確認するための画、いわゆる“ファインダ画”の例である。ここでは、表示画面内にワクを設けて、高精細静止画の撮像エリア（画角ということもできる）と標準動画の撮像エリアを同時識別する構成となっている。このワクのサイズは、高精細静止画から標準動画像を所定のフレームレートで抽出し、記録可能なフレームサイズに設定してある。
【００２９】
本実施例による、動画と高精細静止画を撮像記録する動作を図３のフローチャートで概略的に説明する。図３において、ステップ３０１(図でＳ３０１と略記する、以下同様)で装置が起動する。その後、ステップ３０２で、撮像記録または媒体再生のモード選択で撮像モードが選ばれると、ステップ３０３へ移り、表示画面（ファインダ画）に動画と静止画の撮像エリアを識別するワクを表示し、ステップ３０４へ移る。ステップ３０４では、撮像スタンバイ状態となり、ここでは動画または高精細静止画のどちらでもトリガ（記録開始スイッチ）をかけることができる。トリガがかかるとステップ３０５へ移り、動画トリガが押されていればステップ３０６へ移り、実際に撮像記録できる動画のフレームサイズを、正規のフレームレートで画面表示するとともに、動画を撮像記録する。一方、高精細静止画トリガが押されていると、ステップ３０７へ移り、表示画面にある、動画と静止画の撮像エリアを識別するワクを消去し、表示エリアいっぱいの静止画像を撮像記録し、表示画面に表示する。ステップ３０６における所定枚数の動画の撮像記録、またステップ３０７における高精細静止画の撮像記録が終了すると、ステップ３０８に移り撮像記録が一時停止となり、ステップ３０４へ戻って撮像スタンバイ状態となり、表示画面に動画と静止画の撮像エリアを識別するワクを再び表示する。以降、ステップ３０４ないしステップ３０８の動作を繰り返す。
【００３０】
本実施例では、フラッシュメモリ等の静止画記録媒体にある高精細静止画像とディスクまたは磁気テープ上にある動画像データを相互変換することも可能である。
【００３１】
静止画データを動画記録媒体に記録する動作を図１により説明する。フラッシュメモリ等の静止画記録媒体１１４から出力されるＪＰＥＧ等の圧縮データを静止画記録再生処理１１３にて復号処理し１２８０×９６０の画素データを出力し、フィルタ１０８にてダウンコンパートする。フィルタ１０８では、動画記録媒体への記録レートに従って、水平垂直方向に１／２ダウンサンプリングして、７２０×４８０の画素データを得て、これをメモリ１０６に書き込む。以後、所定の動画記録動作を行う。
【００３２】
一方、動画データを静止画記録媒体に記録する動作を説明する。ディスクまたは磁気テープ等の動画記録媒体１１２上にある動画データを動画記録再生処理１１１にて復号処理し、メモリ１０６に書き込む。続いて、フィルタ１０８にて所望の画素サイズに変換した後、静止画記録再生処理１１３にてＪＰＥＧ等の圧縮を行いフラッシュメモリ等の記録媒体１１４に記録する。
【００３３】
以上説明したように、本実施例によれば、撮影者が静止画と動画それぞれ記録可能なエリア（構図）差を常時モニタリングしながら撮影できるので、高精細静止画を撮った後、標準動画撮影に切り替えた時のエリア（構図）縮小の違和感を軽減できる。−方、動画撮影を行った後、高精細静止画撮影に切り替えた時に生じるエリア（構図）拡大の違和感を軽減できる。
【００３４】
このことは、動画と静止画に生じる画角差を常に認識しながらの相乗効果として、撮影条件に合わせた動画と静止画の最適な使い分けを提供することができる。
【００３５】
（実施例２）
図４は、実施例２である“撮像記録再生装置”の表示画面例である。本実施例では、表示画面に、標準動画の撮像エリアとそれ以外のエリアに輝度差を設けて、高精細静止画と標準動画のエリアを同時識別する構成となっている。輝度差設定エリアのサイズは、高精細静止画から標準動画像を所定のフレームレートで抽出し、記録可能なフレームサイズに設定してあり、動画記録領域は何ら加工しない通常輝度レベルとし、それ以外の領域については輝度レベルを１／２に下げて表示する。
【００３６】
本実施例のハードウエア構成は、図１と同様なので、図１とその説明を援用し、ここでの説明を省略する。
【００３７】
本実施例における、動画と高精細静止画の撮像記録の概略的動作を図５のフローチャートで説明する。図５において、ステップ５０１で装置が起動する。その後、ステップ５０２で、撮像記録または媒体再生のモード選択で撮像モードが選ばれるとステップ５０３に移り、表示画面（ファインダ画）に動画と静止画の撮像エリアを識別する輝度差を設ける。すなわち、動画記録領域は通常輝度レベル、それ以外の高精細静止画部分の領域は動画領域に対して１／２に下げて表示する。続いてステップ５０４へ移り撮像スタンバイ状態となる。ここでは、動画または高精細静止画のどちらでもトリガ（記録開始スイッチ）をかけることができる。トリガがかかるとステップ５０５へ移り、動画トリガが押されていればステップ５０６へ移り、実際に撮像記録できる動画のフレームサイズを、正規のフレームレートで画面表示し、動画を撮像記録する。一方、高精細静止画トリガが押されていればステップ５０７へ移り、ステップ５０４で設けた輝度差を解消し、表示エリアいっぱいの静止画像を撮像記録し、表示画面に表示する。ステップ５０６における所定枚数の動画の撮像記録、またステップ５０７における高精細静止画の撮像記録が終了すると、ステップ５０８に移り撮像記録が一時停止となり、ステップ５０４へ戻って撮像スタンバイ状態となり、表示画面に動画と静止画の撮像エリアを識別する輝度差を再び設ける。以降、ステップ５０４ないしステップ５０８の動作を繰り返す。
【００３８】
以上の説明から明らかなように、本実施例においても、実施例１と同様の効果を得ることができる。
【００３９】
(実施例３)
図６は、実施例３である“撮像記録再生装置”の動作を示すフローチャートである。本実施例では、標準動画の撮像記録領域はカラー表示し、それ以外の領域は白黒表示にして、動画と静止画のエリアを同時識別する構成となっている。カラー部分設定エリアのサイズは、高精細静止画内から標準動画像を所定のフレームレートで抽出し、記録可能なフレームサイズに設定してある。
【００４０】
本実施例のハードウエア構成は、図１と同様なので、図１とその説明を援用し、ここでの説明を省略する。
【００４１】
本実施例により動画と高精細静止画を撮像記録する動作を図６のフローチャートで説明する。ステップ６０１で装置が起動し、その後、ステップ６０２で撮像記録または媒体再生のモード選択で撮像モードを選ばれると、ステップ６０３へ移動し、表示画面（ファインダ画）に動画と静止画の撮像エリアを識別するカラー信号有無の設定差を設ける。すなわち、動画記録領域はカラー表示、それ以外の高精細静止画部分の領域は白黒表示する。ステップ６０４で撮像スタンバイ状態となり、動画または高精細静止画のどちらでもトリガ（記録開始スイッチ）をかけることができる。
【００４２】
ここでトリガがかかると、ステップ６０５へ移り、動画トリガが押されているとステップ６０６へ移り、実際に撮像記録できる動画のフレームサイズを、正規のフレームレートで画面表示するとともに、動画を撮像記録する。一方、高精細静止画トリガを押されていると、ステップ４０７へ移り、ステップ６０３で設定したカラー表示の有無を解消し、表示エリアいっぱいのカラー静止画像を撮像記録するとともに画面表示する。ステップ６０６における所定枚数の動画の撮像記録、またステップ６０７における高精細静止画の撮像記録が終了すると、ステップ６０８に移り撮像記録が一時停止となり、ステップ６０４へ戻って撮像スタンバイ状態となり、表示画面に動画と静止画の撮像エリアを識別するカラー表示の有無を再び表示する。以降、ステップ６０４ないしステップ６０８の動作を繰り返す。
【００４３】
以上の説明から明らかなように、本実施例においても、実施例１と同様の効果を得ることができる。
【００４４】
【発明の効果】
以上説明したように、本発明によれば、撮像スタンバイ状態では、撮影者が静止画と動画それぞれ撮像可能なエリア（構図）差を常時モニタリングすることができるとともに、撮像スタンバイ状態から静止画撮影を行う場合にも、撮像スタンバイ状態から動画撮影を行う場合にも違和感のない自然な表示を行うことができる。
【００４５】
このことは、動画と静止画に生じる画角差を常に認識しながらの相乗効果として、撮影条件に合わせた動画と静止画の最適な使い分けを提供することができる。
【図面の簡単な説明】
【図１】  実施例１の機能ブロック図
【図２】  表示画面例を示す図
【図３】  実施例１の動作を示すフローチャート
【図４】  実施例２における表示画面例を示す図
【図５】  実施例２の動作を示すフローチャート
【図６】  実施例３の動作を示すフローチャート
【符号の説明】
１０２  撮像処理
１１０  ＣＰＵ
１１６  表示画面
【図１】
0004027122.tif 000002
【図２】
0004027122.tif 000003
【図３】
0004027122.tif 000004
【図４】
0004027122.tif 000005
【図５】
0004027122.tif 000006
【図６】
0004027122.tif 000007